(57)【要約】【課題】  大量のコンテンツデータの中から、所望のコンテンツを容易に選択することのできるコンテンツ選択装置を提供する。【解決手段】  記録再生装置１０は、所望のコンテンツを選択するための記録媒体１１と、コンテンツ記録部１０２に記録された各コンテンツの属性を示すメタ情報を、メタ情報管理テーブル１０４０でそれぞれ管理するメタ情報管理制御部１０４と、コンテンツ記録部１０２にコンテンツを記録する場合に、当該コンテンツに対応するメタ情報を記録媒体１１に書き込むメタ情報書き込み部１０６と、ユーザによって選ばれた所望のコンテンツに対応する記録媒体１１からメタ情報を読み出すメタ情報読み出し部１０９とを備える。メタ情報管理制御部１０４は、メタ情報読み出し部１０９により読み出されたメタ情報とメタ情報管理テーブル１０４０とに基づいて、コンテンツ記録部１０２に記録された各コンテンツの中から所望のコンテンツを特定する。【選択図】        図２
2006024256.tif 000002
【特許請求の範囲】
【請求項１】
コンテンツ記録手段に記録された複数のコンテンツの中から所望のコンテンツを選択するためのコンテンツ選択装置であって、
所望のコンテンツを選択するための記録媒体と、
前記コンテンツ記録手段に記録された各コンテンツの属性を示すメタ情報を、メタ情報管理テーブルでそれぞれ管理するメタ情報管理制御手段と、
前記コンテンツ記録手段にコンテンツを記録する場合に、当該コンテンツに対応するメタ情報を前記記録媒体に書き込むメタ情報書き込み手段と、
ユーザによって選ばれた所望のコンテンツに対応する記録媒体からメタ情報を読み出すメタ情報読み出し手段とを備え、
前記メタ情報管理制御手段は、メタ情報読み出し手段により読み出されたメタ情報と前記メタ情報管理テーブルとに基づいて、前記コンテンツ記録手段に記録された各コンテンツの中から所望のコンテンツを特定する
ことを特徴としたコンテンツ選択装置。
【請求項２】
前記コンテンツ選択装置は、さらにメタ情報が書き込まれた記録媒体を装置の外部に送出する記録媒体送出手段を備える
ことを特徴とする請求項１記載のコンテンツ選択装置。
【請求項３】
前記記録媒体は、磁気記録媒体である
ことを特徴とする請求項１記載のコンテンツ選択装置。
【請求項４】
前記記録媒体は、無線ＩＣタグである
ことを特徴とする請求項１記載のコンテンツ選択装置。
【請求項５】
前記記録媒体は、半導体メモリである
ことを特徴とする請求項１記載のコンテンツ選択装置。
【請求項６】
前記コンテンツ選択装置は、さらに前記記録媒体にメタ情報を可視化して印字する印字手段
を備えることを特徴とする請求項１記載のコンテンツ選択装置。
【請求項７】
前記記録媒体は、磁気記録紙であり、
前記印字手段は、メタ情報を紙面に可視化して印字する
ことを特徴とする請求項６記載のコンテンツ選択装置。
【請求項８】
前記記録媒体は、紙であり、
前記印字手段は、メタ情報をバーコードにして印字する
ことを特徴とする請求項６記載のコンテンツ選択装置。
【請求項９】
前記印字手段は、メタ情報をさらに可視化して印字する
ことを特徴とする請求項８記載のコンテンツ選択装置。
【請求項１０】
前記コンテンツ選択装置は、さらに前記記録媒体を複数搭載するための記録媒体蓄積手段を備え、
新規のコンテンツを記録する都度、該当コンテンツに関わるメタ情報を記録媒体に記録し、都度記録媒体を装置の外部に送出する
ことを特徴とする請求項１〜９のいずれか１項記載のコンテンツ選択装置。
【請求項１１】
前記コンテンツ選択装置は、さらにコンテンツを再生するコンテンツ再生手段を備え、
前記メタ情報管理制御手段は、メタ情報読み出し手段により読み出したメタ情報に基づいて、該当する元のコンテンツデータを特定した後に、該当のコンテンツを再生する
ことを特徴とする請求項１〜１０のいずれか１項記載のコンテンツ選択装置。
【請求項１２】
前記メタ情報管理制御手段は、メタ情報読み出し手段により読み出したメタ情報に基づいて、該当する元のコンテンツデータを特定した後に、該当のコンテンツを消去する
ことを特徴とする請求項１〜１１のいずれか１項記載のコンテンツ選択装置。
【請求項１３】
前記メタ情報管理制御手段は、コンテンツデータを消去した後に、記録媒体に記録されたメタ情報を消去する
ことを特徴とする請求項１２記載のコンテンツ選択装置。
【請求項１４】
請求項１〜１３のいずれか１項に記載のコンテンツ選択装置の構成に加え、コンテンツ記録時に当該コンテンツ及び対応するメタ情報を送信するコンテンツ送信手段を備える第１コンテンツ選択装置と、第２コンテンツ選択装置とから構成されるコンテンツ選択システムであって、
前記第２コンテンツ選択装置は、
前記第１コンテンツ選択装置から送信されたコンテンツ及びメタ情報を受信するコンテンツ受信手段と、
受信したコンテンツを記録する第２コンテンツ記録手段と、
記録したコンテンツに関するメタ情報をメタ情報管理テーブルで管理する第２メタ情報管理制御手段と、
記録媒体に記録されたメタ情報を読み出す第２メタ情報読み出し手段とを備え、
前記第２メタ情報管理制御手段は、第２メタ情報読み出し手段により読み出されたメタ情報と前記メタ情報管理テーブルとに基づいて、前記第２コンテンツ記録手段に記録された各コンテンツの中から所望のコンテンツを特定する
ことを特徴としたコンテンツ選択システム。
【請求項１５】
コンテンツ記録手段に記録された複数のコンテンツの中から所望のコンテンツを選択するためのコンテンツ選択装置に用いられるコンテンツ選択方法であって、
所望のコンテンツを選択するためのコンテンツ記録手段に記録された各コンテンツの属性を示すメタ情報を、メタ情報管理テーブルでそれぞれ管理するメタ情報管理制御ステップと、
前記コンテンツ記録手段にコンテンツを記録する場合に、当該コンテンツに対応するメタ情報を前記記録媒体に書き込むメタ情報書き込みステップと、
ユーザによって選ばれた所望のコンテンツに対応する記録媒体からメタ情報を読み出すメタ情報読み出しステップとを含み、
前記メタ情報管理制御ステップは、メタ情報読み出し手段により読み出されたメタ情報と前記メタ情報管理テーブルとに基づいて、前記コンテンツ記録手段に記録された各コンテンツの中から所望のコンテンツを特定する
ことを特徴としたコンテンツ選択方法。
【請求項１６】
請求項１５記載のコンテンツ選択方法に含まれるステップをコンピュータに実行させるプログラム。
【発明の詳細な説明】
【技術分野】
【０００１】
本発明は、オーディオやビデオ等のコンテンツデータを記録し、再生する記録再生装置等に用いられるコンテンツ選択装置及びコンテンツ選択システムに関する。
【背景技術】
【０００２】
近年、ハードディスクドライブなどの記録媒体の大容量化に伴い、オーディオやビデオ等のコンテンツを大量に蓄積して再生することが可能となった。しかしながら、ハードディスクドライブに記録された大量のコンテンツから、所望のコンテンツを選択するには、時間がかかり、操作が煩雑になる。
【０００３】
そのために、ジャンル、日付等で階層化されたコンテンツリストを表示したり、多数のコンテンツデータを自動的にグループ分けして管理したりして、操作の煩わしさを緩和するための装置（例えば、特許文献１参照。）が、従来からある。
【特許文献１】特開２００１−２９１３６５号公報（第１−１２頁、第９図）
【発明の開示】
【発明が解決しようとする課題】
【０００４】
しかしながら、従来の装置では、コンテンツデータを階層化して表示したり、グループ分けして管理するなどして、一定の煩わしさを解消するものであるが、コンテンツがさらに増大して、階層数が深くなったり、また同一階層内のコンテンツが増大したときには、やはり煩雑さが伴うものである。逆に、コンテンツ数が極端に少ない場合においても、コンテンツ数が多いときと同様に、一定の手順によって選択する必要があるため、操作性の良いものとは言えない。なお、これらの課題は、車載機器に適応した場合、さら顕著な問題となり、運転中は危険なため、実質的には操作することが不可能である。
【０００５】
本発明は、前記従来の課題を解決するもので、大量に蓄積されているコンテンツデータの中から、所望のコンテンツを容易に選択することのできるコンテンツ選択装置及びコンテンツ選択システムを提供することを目的とする。
【課題を解決するための手段】
【０００６】
前記従来の課題を解決するために、本発明に係るコンテンツ選択装置においては、コンテンツ記録手段に記録された複数のコンテンツの中から所望のコンテンツを選択するためのコンテンツ選択装置であって、所望のコンテンツを選択するための記録媒体と、前記コンテンツ記録手段に記録された各コンテンツの属性を示すメタ情報を、メタ情報管理テーブルでそれぞれ管理するメタ情報管理制御手段と、前記コンテンツ記録手段にコンテンツを記録する場合に、当該コンテンツに対応するメタ情報を前記記録媒体に書き込むメタ情報書き込み手段と、ユーザによって選ばれた所望のコンテンツに対応する記録媒体からメタ情報を読み出すメタ情報読み出し手段とを備え、前記メタ情報管理制御手段は、メタ情報読み出し手段により読み出されたメタ情報と前記メタ情報管理テーブルとに基づいて、前記コンテンツ記録手段に記録された各コンテンツの中から所望のコンテンツを特定することを特徴とする。
【０００７】
この発明によれば、コンテンツを記録した際に、記録媒体にメタ情報を記録し、以後、このコンテンツを選択したいときに、記録媒体に記録されたメタ情報をメタ情報読み出し手段により読み出させるだけで、記録されたメタ情報から、元のコンテンツが特定されるため、ユーザによるコンテンツを選択するという操作が一切不要となり、簡単に所望のコンテンツを選択することができる。したがって、機械操作に不慣れなお年寄りや、車載機器に適応した場合に、顕著な効果が発揮される。
【０００８】
また、本発明に係るコンテンツ選択装置においては、前記コンテンツ選択装置は、さらにメタ情報が書き込まれた記録媒体を装置の外部に送出する記録媒体送出手段を備えることを特徴とすることができる。
これにより、ユーザはメタ情報が書き込まれた記録媒体を容易に取り出すことができる。
【０００９】
また、本発明に係るコンテンツ選択装置においては、前記記録媒体は、磁気記録媒体であることを特徴としてもよい。
【００１０】
また、本発明に係るコンテンツ選択装置においては、前記記録媒体は、無線ＩＣタグであることを特徴としてもよい。
この発明によれば、コンテンツを記録した際に、無線ＩＣタグにメタ情報が記録され、以後、該当のコンテンツを視聴したいときに、無線ＩＣタグに記録されたメタ情報を装置のメタ情報読み込み手段で読み込ませることにより、元のコンテンツが特定されるため、ユーザによるコンテンツを選択するという操作が一切不要となり、簡単に所望のコンテンツを選択することができる。また無線ＩＣタグを利用するため、ユーザは装置に対して非接触でこの操作を行うことができる。
【００１１】
また、本発明に係るコンテンツ選択装置においては、前記記録媒体は、半導体メモリであることを特徴とすることもできる。
また、本発明に係るコンテンツ選択装置においては、前記コンテンツ選択装置は、さらに前記記録媒体にメタ情報を可視化して印字する印字手段を備えることを特徴とすることができる。
【００１２】
この発明によれば、メタ情報を記録した記録媒体が装置から送出される際に、メタ情報の一部を可視化して印字するため、記録媒体に記録されたメタ情報がどのコンテンツに対応するものかユーザが目視して確認できるようになる。
【００１３】
また、本発明に係るコンテンツ選択装置においては、前記記録媒体は、磁気記録紙であり、前記印字手段は、メタ情報を紙面に可視化して印字することを特徴とすることもできる。
【００１４】
この発明によれば、記録媒体として磁気記録紙を用いるため、装置のランニングコストを安価にすることができる。また磁気記録紙が装置から送出される際に、メタ情報の一部が可視化して印字されるため、磁気記録紙に記録されたメタ情報がどのコンテンツに対応するものかユーザが目視して確認できるようになる。
【００１５】
また、本発明に係るコンテンツ選択装置においては、前記記録媒体は、紙であり、前記印字手段は、メタ情報をバーコードにして印字することを特徴とすることもできる。
この発明によれば、記録媒体として紙を用いるため、装置のランニングコストをさらに安価にすることができる。
【００１６】
また、本発明に係るコンテンツ選択装置においては、前記印字手段は、メタ情報をさらに可視化して印字することを特徴とすることができる。
この発明によれば、メタ情報の一部が可視化して印字されるため、バーコードで記録されたメタ情報がどのコンテンツに対応するものかユーザが目視して確認できるようになる。
【００１７】
また、本発明に係るコンテンツ選択装置においては、前記コンテンツ選択装置は、さらに前記記録媒体を複数搭載するための記録媒体蓄積手段を備え、新規のコンテンツを記録する都度、該当コンテンツに関わるメタ情報を記録媒体に記録し、都度記録媒体を装置の外部に送出することを特徴とすることもできる。
【００１８】
本発明によれば、新規のコンテンツを記録する都度、該当コンテンツに関わるメタ情報を記録した記録媒体が送出されるため、後にユーザが所望のコンテンツに対応する記録媒体を装置に挿入するだけで、記録されたメタ情報から、元のコンテンツが特定されるため、ユーザによるコンテンツを選択するという操作が一切不要となり、簡単に所望のコンテンツを選択することができる。
【００１９】
また、本発明に係るコンテンツ選択装置においては、前記コンテンツ選択装置は、さらにコンテンツを再生するコンテンツ再生手段を備え、前記メタ情報管理制御手段は、メタ情報読み出し手段により読み出したメタ情報に基づいて、該当する元のコンテンツデータを特定した後に、該当のコンテンツを再生することを特徴とすることもできる。
【００２０】
この発明によれば、コンテンツを特定するだけでなく、再生まで開始するため、特定のコンテンツを視聴したいときの操作がさらに簡単になる。
また、本発明に係るコンテンツ選択装置においては、前記メタ情報管理制御手段は、メタ情報読み出し手段により読み出したメタ情報に基づいて、該当する元のコンテンツデータを特定した後に、該当のコンテンツを消去することを特徴とすることができる。
【００２１】
この発明によれば、コンテンツを特定するだけでなく、コンテンツデータの消去を行うため、特定のコンテンツを消去したいときの操作がさらに簡単になる。
また、本発明に係るコンテンツ選択装置においては、前記メタ情報管理制御手段は、コンテンツデータを消去した後に、記録媒体に記録されたメタ情報を消去することを特徴とすることもできる。
【００２２】
この発明によれば、コンテンツデータを消去するとともに、記録媒体のメタデータをも消去するため、記録媒体の再利用が可能になる。
なお、本発明は、このようなコンテンツ選択装置として実現することができるだけでなく、上記のコンテンツ選択装置の構成に加え、コンテンツ記録時に当該コンテンツ及び対応するメタ情報を送信するコンテンツ送信手段を備える第１コンテンツ選択装置と、第２コンテンツ選択装置とから構成されるコンテンツ選択システムとして構成したり、このようなコンテンツ選択装置が備える特徴的な手段をステップとするコンテンツ選択方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００２３】
本構成によれば、テレビ放送等のコンテンツを記録する際、各コンテンツに対応するメタ情報を記録した磁気記録紙等の記録媒体が装置から送出され、記録したコンテンツを後に視聴する際に、送出された記録媒体を、再度装置に挿入するだけで該当コンテンツが特定されて選択できるため、ユーザによるコンテンツを選択するという操作が一切不要となり、簡単に所望のコンテンツを選択できるという効果を有する。また、従来のように画面を見ながらの選択操作がなくなるため、車載機器に適応した場合に、安全面での効果は大きい。
【００２４】
よって、本発明により、メカに弱いお年寄りにとって極めて便利となり、ハードディスクに大量のコンテンツを記録する機器が普及してきた今日における本願発明の実用的価値は極めて高い。
【発明を実施するための最良の形態】
【００２５】
以下、本発明の実施の形態について、図面を用いて詳細に説明する。
（実施の形態１）
図１は、本発明の実施の形態に係るコンテンツ選択装置が適用される記録再生装置の外観構成を示す図である。
【００２６】
記録再生装置１０は、例えば、家庭内に設置されたハードディスクドライブ（ＨＤＤ）を搭載したビデオレコーダであり、図１に示されるように、ハードディスクに記録された複数のコンテンツの中からユーザが希望するコンテンツを選択するための記録媒体１１と、記録媒体１１が着脱される媒体着脱口１２と、種々のメッセージ等を表示する表示器１３と、記録媒体１１に基づいてコンテンツを再生するための再生ボタン１４と、コンテンツ再生を停止するための停止ボタン１５と、選局するためのチャンネルボタン１６ａ，１６ｂと、ハードディスクドライブにコンテンツを記録するための録画ボタン１７と、記録媒体１１に基づいて選択されたコンテンツをハードディスクから削除するための削除ボタン１８等とを備える。
【００２７】
図２は、図１に示される記録再生装置１０の機能構成を示すブロック図である。
図１に示されるように、記録再生装置１０は、記録媒体１１と、コンテンツ受信部１０１と、コンテンツ記録部１０２と、コンテンツ再生部１０３と、メタ情報管理制御部１０４と、メタ情報書き込み部１０６と、印字部１０７と、記録媒体送出部１０８と、メタ情報読み出し部１０９等とから構成される。
【００２８】
記録媒体１１として、磁気記録紙の他、無線ＩＣタグや、ＳＤカード、ＩＣメモリ等の半導体メモリ、バーコードを記録する紙等、種々の記録媒体を使用できるが、この実施の形態１においては、磁気記録紙を用い、その磁気面にコンテンツの属性を示すメタ情報の内、そのコンテンツを特定する「プログラムＩＤ」を記録し、紙の面には可視化した「番組名」、「放送局名」、「放送日時」等のタイトル情報を印字する場合について説明する。
【００２９】
コンテンツ受信部１０１は、チュナー等によって構成され、放送番組などのコンテンツを受信する。
コンテンツ記録部１０２は、ハードディスクドライブによって構成され、コンテンツ受信部１０１によって受信されたコンテンツを記録する。
【００３０】
コンテンツ再生部１０３は、コンテンツ受信部１０１によって受信されたコンテンツや、コンテンツ記録部１０２に記録されたコンテンツを再生する。
メタ情報書き込み部１０６は、メタ情報（プログラムＩＤ）を記録媒体１１に書き込む。
【００３１】
印字部１０７は、記録媒体１１にメタ情報（タイトル情報）を印字する。
記録媒体送出部１０８は、メタ情報を書き込んだ記録媒体１１を装置の外部に送出する。
【００３２】
メタ情報読み出し部１０９は、記録媒体１１が装置に挿入または装着されたときに記録されたメタ情報を読み出す。
メタ情報管理制御部１０４は、コンテンツ記録部１０２に記録したコンテンツの属性を示すメタ情報をメタ情報管理テーブル１０４０で管理するとともに、上記各部１０１〜１０９を統括的に制御する。
【００３３】
図３は、メタ情報管理テーブル１０４０の構成例を示す図である。
図３に示されるようにメタ情報管理テーブル１０４０は、コンテンツ記録部１０２に記録されたコンテンツのファイル名１０４１や、コンテンツ記録部１０２に記録されたコンテンツが格納された場所を示すパス１０４２等のシステムが管理すべきデータをはじめ、放送映像コンテンツ用タイトル情報１０４３と、音楽コンテンツ用タイトル情報１０４４と、その記録時刻等から生成され、コンテンツ記録部１０２に記録されたコンテンツに固有のプログラムＩＤ１０４５等とから構成される。放送映像コンテンツ用タイトル情報１０４３には、「番組名」、「放送局名」、「放送時刻」などが含まれ、音楽コンテンツ用タイトル情報１０４４には、「アーチスト名」、「アルバム名」、「曲名」などが含まれる。なお、これらの放送映像コンテンツ用タイトル情報１０４３、音楽コンテンツ用タイトル情報１０４４はコンテンツから取得してもよく、ユーザが設定してもよい。
【００３４】
次に、記録再生装置１０のメタ情報管理制御部１０４が実行するコンテンツ記録処理及びコンテンツ選択処理の動作について、順次説明する。
図４は、メタ情報管理制御部１０４が実行するコンテンツ記録処理の動作を示すフローチャートである。
【００３５】
メタ情報管理制御部１０４は、ユーザによって録画ボタン１７が押下されるのを待つ（Ｓ１１）。録画ボタン１７が押下されると（Ｓ１１でＹｅｓ）、メタ情報管理制御部１０４は、コンテンツ再生部１０３に記録するコンテンツに関するメタ情報をメタ情報管理テーブル１０４０に登録し（Ｓ１３）、コンテンツ受信部１０１によって受信されたテレビ放送等のコンテンツをコンテンツ記録部１０２に記録する（Ｓ１３）。
【００３６】
コンテンツの記録が終了すると（Ｓ１４）、メタ情報管理制御部１０４は、「磁気記録紙をセットしてください。」等のメッセージを表示器１３に表示し、記録媒体１１が媒体着脱口１２にセットされるのを待つ（Ｓ１６）。記録媒体１１がセットされると（Ｓ１６でＹｅｓ）、メタ情報管理制御部１０４は、コンテンツ記録部１０２に記録したコンテンツに関するメタ情報のプログラムＩＤを、メタ情報書き込み部１０６を用いて、記録媒体１１の記録面に記録する（Ｓ１７）。
【００３７】
プログラムＩＤの記録が終わると、メタ情報管理制御部１０４は、放送映像コンテンツ用タイトル情報の「番組名」、「放送局名」、「放送日時」等を、磁気記録紙の紙面に印字部１０７を用いて印刷する（Ｓ１８）。これにより、「番組名」、「放送局名」、「放送日時」が可視化される。
【００３８】
磁気記録紙へのデータの記録及び印字が終了すると、メタ情報管理制御部１０４は、電車の券売機から切符が送出されるのと同様に、記録媒体送出部１０８によって、磁気記録紙を装置の外部に排出させる（Ｓ１９）。
【００３９】
排出された磁気記録紙のイメージを図５に示す。
図５（ａ）に示されるように、磁気記録紙の紙面には、放送映像コンテンツ用タイトル情報、例えば「番組：トラえもん、放送日：２００４．０１．××放送、時間：１９：００−２０：００、放送局：○○テレビ」が可視化されて印刷される。
【００４０】
このように、送出された磁気記録紙に、番組名、放送局名、放送日時等を可視化して印字するため、磁気記録紙に記録されたメタ情報がどのコンテンツに対応するものか、ユーザが目視して確認できるようになる。
【００４１】
また、図５（ｂ）に示されるように、磁気記録紙の磁気面にはプログラムＩＤ、例えば「○××○○□」が記録される。
次いで、今回記録したコンテンツを後に視聴等する場合について説明する。
【００４２】
図６は、メタ情報管理制御部１０４が実行するコンテンツ選択処理の動作を示すフローチャートである。
メタ情報管理制御部１０４は、磁気記録紙が挿入されるのを待つ（Ｓ２１）。ユーザは、所望の磁気記録紙を選択し、媒体着脱口１２に挿入する。磁気記録紙が挿入されると、メタ情報管理制御部１０４は、メタ情報読み出し部１０９を用いて磁気記録紙に記録されたメタ情報を読み出す。本実施の形態１では、プログラムＩＤを読み出す（Ｓ２２）。
【００４３】
このプログラムＩＤ１０４５とメタ情報管理制御部１０４で管理された情報を元に、記録された元のコンテンツデータを特定することができる。特定した後に、自動で該当コンテンツをコンテンツ再生部１０３で再生するようにしてもよい。
【００４４】
すなわち、プログラムＩＤを読み出すと、メタ情報管理制御部１０４は、読み出したプログラムＩＤがメタ情報管理テーブル１０４０に存在するするか否か判断する（Ｓ２３）。メタ情報管理テーブル１０４０にそのプログラムＩＤが存在する場合（Ｓ２３でＹｅｓ）、メタ情報管理制御部１０４は、選択対象のコンテンツを特定し、特定したコンテンツに対する処理に関するメッセージを表示器１３に表示する（Ｓ２４）。
【００４５】
これらの構成とその動作により、記録したコンテンツを後に視聴する際に、送出された磁気記録紙を、再度、装置に挿入するだけで該当コンテンツを特定できるため、記録したコンテンツを選択するというユーザの操作が一切不要となる。
【００４６】
図７は、ステップＳ２４で表示されるメッセージの構成例を示す図である。
図７に示されるように、表示器１３には、「コンテンツ「トラえもん…」が、対象に選ばれました。これを再生する場合は、再生ボタンを押してください。これを削除する場合は、削除ボタンを押してください。」が表示される。
【００４７】
そして、メタ情報管理制御部１０４は、再生ボタン１４及び削除ボタン１８のいずれかが押下されるのを待つ（Ｓ２５，Ｓ２６）。
再生ボタン１４が押下されると（Ｓ２５でＹｅｓ）、メタ情報管理制御部１０４は、選択したコンテンツをコンテンツ記録部１０２から読み出して、読み出したコンテンツをコンテンツ再生部１０３に再生させる（Ｓ２７）。
【００４８】
これにより、所望の磁気記録紙をセットし、再生ボタン１４を押すといった簡単な操作で所望のコンテンツを視聴することができる。
削除ボタン１８が押下された場合、選択したコンテンツをコンテンツ記録部１０２から削除する（Ｓ２８）。
【００４９】
これにより、所望の磁気記録紙をセットし、削除ボタン１８を押すといった簡単な操作で所望のコンテンツを削除することもできる。
なお、コンテンツ記録部１０２からコンテンツを削除した場合、メタ情報管理制御部１０４は、メタ情報管理テーブル１０４０からこのコンテンツに関するメタ情報を削除し、磁気記録紙からプログラムＩＤを削除する。これにより、記録媒体１１の再利用が可能となる。
【００５０】
一方、メタ情報管理テーブル１０４０にそのプログラムＩＤが存在しない場合（Ｓ２３でＮｏ）、メタ情報管理制御部１０４は、選択対象のコンテンツがコンテンツ記録部１０２にない旨のメッセージを表示器１３に表示する（Ｓ２９）。
【００５１】
なお、上記実施の形態１では、コンテンツ記録の際に未記録の磁気記録紙を１枚ずつセットするようにしたが、未記録の磁気記録紙を複数搭載するための記録媒体蓄積手段（ストッカー）を設け、新しいコンテンツを記録する都度、該当コンテンツに対応する磁気記録紙を１枚ずつ送出するようにしてもよい。これにより、複数のコンテンツを記録した際に、複数の磁気記録紙が送出され、後にユーザが特定のコンテンツを視聴しようとする際に、対応する磁気記録紙を装置に挿入するだけで該当コンテンツの再生が開始されるため、コンテンツを選択するというユーザの操作が一切不要となる。
【００５２】
また、上記実施の形態１では、記録媒体として磁気記録紙を例にしたが、磁気記録紙に限られたものではなく、半導体メモリや紙に印字したバーコードなどでメタ情報を記録し、後にメタ情報を読み込んで元のコンテンツを特定するようにしてもよい。
【００５３】
さらに、上記実施の形態１では、コンテンツを特定した際にユーザに再生ボタン１４や削除ボタン１８を押下させるようにしたが、コンテンツ記録処理の際にユーザに再生ボタン１４や削除ボタン１８を押下させ、記録媒体１１の記録面に再生あるいは削除を示すコードを記録し、紙面に再生あるいは削除の文字を印字するようにしてもよい。この場合には、コンテンツの特定だけでなく、コンテンツの再生や削除まで自動化を図ることができる。
【００５４】
また、上記実施の形態１では、記録媒体１１の磁気面にプログラムＩＤ１０４５だけを記録したが、このプログラムＩＤ１０４５に放送映像コンテンツ用タイトル情報１０４３や、音楽コンテンツ用タイトル情報１０４４を加えて記録するようにしてもよい。
【００５５】
（実施の形態２）
次に、本発明の実施の形態２に係る記録再生装置ついて図面を参照しながら説明する。
図８は、本発明の実施の形態２における記録再生装置２０の機能構成を示すブロック図である。
【００５６】
ところで、実施の形態１の記録再生装置１０では、記録媒体１１として磁気記録紙を用いていた。このため、記録媒体１１を記録再生装置１０にセットしたりする必要があった。これに対して、この記録再生装置２０では、記録媒体として無線ＩＣタグ２１を使用するように構成されている点が記録再生装置１０と大きく異なっている。
【００５７】
図８に示されるように、記録再生装置２０は、コンテンツ受信部１０１と、コンテンツ記録部１０２と、コンテンツ再生部１０３と、メタ情報管理制御部１０４との他、上記した無線ＩＣタグ２１と、メタ情報書き込み部２０６と、メタ情報読み出し部２０９とから構成される。
【００５８】
次に、記録再生装置２０の動作について説明する。
動作は、実施の形態１とほぼ同様である。
相違点は、メタ情報書き込み部２０６で、記録媒体である無線ＩＣタグ２１にメタ情報を非接触で書き込む点と、メタ情報読み出し部２０９で前記無線ＩＣタグ２１に記録されたメタ情報を非接触で読み込む点である。
【００５９】
これらの構成とその動作により、実施の形態１と同等の効果が得られると同時に、実施の形態２では、無線ＩＣタグを利用するため、ユーザは装置に対して非接触でこの操作を行うことができるという顕著な効果を有する。
【００６０】
（実施の形態３）
次に実施の形態３について、図９を用いて説明する。
実施の形態９では、発明の対象となる記録再生装置は、自動車内に設置されたハードディスクドライブを搭載したビデオプレーヤであると想定し、実施の形態１で説明した家庭のビデオレコーダと連携して使用されるものとする。
【００６１】
具体的には、家庭のビデオレコーダで記録したコンテンツデータを無線通信で自動車内のビデオプレーヤに転送した後に、ユーザが自動車内で該当コンテンツを視聴するシーンを想定して説明する。ここでは、家庭のビデオレコーダを第１記録再生装置、自動車内に設置されたビデオプレーヤを第２記録再生装置と記す。
【００６２】
図９に示されるように、コンテンツ選択システム３０は、第１記録再生装置３１と、第２記録再生装置３２とから構成される。
第１記録再生装置３１は、記録再生装置１０の構成に加えて、さらにコンテンツの記録の際にコンテンツ及びこのコンテンツのメタ情報を送信するコンテンツ送信部３０１をさらに備える。
【００６３】
第２記録再生装置３２は、第１記録再生装置３１のコンテンツ送信部３０１から送信されたコンテンツデータ及びメタ情報を受信するコンテンツ受信部３０２と、受信したコンテンツデータを記録するコンテンツ記録部１０２と、記録したコンテンツに関するメタ情報を管理するメタ情報管理制御部１０４と、コンテンツを再生するコンテンツ再生部１０３と、記録媒体に記録されたメタ情報を読み出すメタ情報読み出し手段１０９とから構成される。
【００６４】
次に、図９に示す記録再生装置の動作について説明する。
まず、実施の形態１で説明した動作と同様に、第１記録再生装置３１で、テレビ放送等のコンテンツを記録する。すると、該当コンテンツに関するメタ情報が磁気記録紙に記録されて装置から送出される。
【００６５】
一方、第１記録再生装置３１から第２記録再生装置３２にコンテンツデータを送信して、データの同期が行われる。この通信は無線通信によって行われる。
第２記録再生装置３２では、コンテンツ受信部３０２でコンテンツデータを受信するとともに、対応するメタ情報をメタ情報管理制御部１０４で管理しておく。
【００６６】
データの転送が完了した後に、ユーザが、第１記録再生装置３１から送出された磁気記録紙を車室内に持ち込み、第２記録再生装置３２に挿入すると、記録されたメタ情報を、メタ情報読み出し部１０９により読み出して、読み出したメタ情報に基づいて、メタ情報管理制御部１０４を通して、該当する元のコンテンツデータを特定される。特定した後に、該当コンテンツを自動で再生するようにしてもよい。
【００６７】
この発明によれば、第１記録再生装置３１で記録したコンテンツを、第２記録再生装置３２に転送して視聴するときに、第１記録再生装置３１でメタ情報を書き込んだ記録媒体を第２記録再生装置３２で読み込ませることで、読み込んだメタ情報から、元のコンテンツが特定されるため、ユーザによるコンテンツを選択するという操作が一切不要となり、簡単に所望のコンテンツを視聴することができる。
【００６８】
また実施の形態３では、メタ情報を記録する記録媒体として磁気記録紙を例にしたが、半導体メモリや紙に印字したバーコードなどでメタ情報を記録し、第２記録再生装置でメタ情報を読み込んで元のコンテンツを特定するようにしてもよい。また実施の形態２で説明したように、無線ＩＣタグを用いてもよい。
【００６９】
また、本実施の形態３では第２記録再生装置３２として自動車内に設置された記録再生装置を用いて説明したが、適用例は自動車に限定されるものではなく、携帯電話やＰＤＡなどの移動体端末や、家庭内の別の端末、パソコン等で用いてもよい。
【産業上の利用可能性】
【００７０】
本発明に係るコンテンツ選択装置は、コンテンツを記録した際に、記録媒体にメタ情報を記録し、以後、このコンテンツを選択したいときに、記録媒体に記録されたメタ情報をメタ情報読み出し手段により読み出させるだけで、記録されたメタ情報から、元のコンテンツが特定されるため、ユーザによるコンテンツを選択するという操作が一切不要となり、簡単に所望のコンテンツを選択できるという効果を有する。また、従来のように画面を見ながらの選択操作がなくなるため、車載機器に適応した場合に、安全面での効果は大きい。よって、本発明により、メカに弱いお年寄りにとって極めて便利となり、ハードディスクに大量のコンテンツを記録する機器が普及してきた今日における本願発明の実用的価値は極めて高く、ＡＶ機器、パーソナルコンピュータ、携帯電話、ＰＤＡ等に適用することができる。
【図面の簡単な説明】
【００７１】
【図１】本発明の実施の形態１に係るコンテンツ選択装置が適用される記録再生装置の外観構成を示す図である。
【図２】図１に示される記録再生装置１０の機能構成を示すブロック図である。
【図３】メタ情報管理テーブル１０４０の構成例を示す図である。
【図４】コンテンツ記録処理の動作を示すフローチャートである。
【図５】本発明の実施の形態１における磁気記録紙の例を示す図である。
【図６】コンテンツ選択処理の動作を示すフローチャートである。
【図７】コンテンツを特定した場合のメッセージ画面を示す図である。
【図８】本発明の実施の形態２に係る記録再生装置の機能構成を示すブロック図である。
【図９】本発明の実施の形態３に係る記録再生システムの機能構成を示すブロック図である。
【符号の説明】
【００７２】
１０  記録再生装置
１１  記録媒体
２０  記録再生装置
２１  無線ＩＣタグ
３０  コンテンツ選択システム
３１  第１記録再生装置
３２  第２記録再生装置
１０１，３０２  コンテンツ受信部
１０２  コンテンツ記録部
１０３  コンテンツ再生部
１０４  メタ情報管理制御部
１０６，２０６  メタ情報書き込み部
１０７  印字部
１０８  記録媒体送出部
１０９，２０９  メタ情報読み出し部
３０１  コンテンツ送信部
１０４０  メタ情報管理テーブル
【図１】
2006024256.tif 000003
【図２】
2006024256.tif 000004
【図３】
2006024256.tif 000005
【図４】
2006024256.tif 000006
【図５】
2006024256.tif 000007
【図６】
2006024256.tif 000008
【図７】
2006024256.tif 000009
【図８】
2006024256.tif 000010
【図９】
2006024256.tif 000011